(57)【要約】　　　（修正有）【課題】制御盤等の内部への湿気及び粉塵の進入を簡単に防止することができ、構造が単純で製造コストが安価であり、更には、外気取入口の種々の形状及び寸法に容易に対応することが可能な除湿除塵フィルターを提供することを目的とする。【解決手段】外気と被仕切り物とを仕切る仕切り部材Ｗに設けられた外気取入口１４に設置されるフィルターであって、ロール状に巻き取られたフィルター用紙４と、フィルター用紙４が収納され、且つフィルター用紙４を引き出すための細長開口を有する引出口１０を備え、外気取入口１４の縁部に着脱自在に取り付け可能とされたケーシング６と、長尺磁石板８ｂ、８ｃとを備え、フィルター用紙４が引出口１０から引き出され、外気取入口１４の少なくとも一部を覆って長尺磁石板８ｂ、８ｃにより固定される除湿除塵フィルターである。【選択図】　図１
0003099636.tif 000002
【実用新案登録請求の範囲】
【請求項１】
　外気と被仕切り物とを仕切る仕切り部材に設けられた外気取入口に設置されるフィルターであって、
　長尺のフィルター用紙と、
　該フィルター用紙が収納され、且つ該フィルター用紙を引き出すための細長開口を有する引出口を備え、該外気取入口の縁部に着脱自在に取り付け可能とされたケーシングと、
　該フィルター用紙の固定手段と
を備え、
　該フィルター用紙が該引出口から引き出され、該外気取入口の少なくとも一部を覆って該固定手段により固定されることを特徴とする除湿除塵フィルター。
【請求項２】
　前記フィルター用紙が、ロール状に巻き取られていることを特徴とする請求項１に記載の除湿除塵フィルター。
【請求項３】
　前記フィルター用紙が、前記フィルター用紙を幅方向に横切るミシン目を備えることを特徴とする請求項１又は２に記載の除湿除塵フィルター。
【請求項４】
　前記ケーシングが、前記引出口の長手方向に沿った鋸状刃を備えることを特徴とする請求項１乃至３のいずれかに記載の除湿除塵フィルター。
【請求項５】
　前記固定手段が、長尺磁石板であることを特徴とする請求項１乃至４のいずれかに記載の除湿除塵フィルター。
【請求項６】
　前記長尺磁石板が、該長尺磁石板の長手方向に沿った鋸状刃を備えることを特徴とする請求項５に記載の除湿除塵フィルター。
【考案の詳細な説明】
【技術分野】
【０００１】
　本発明は、制御盤やモーター等の外気取入口に設置されるフィルターであって、外気中に含まれる湿気及び粉塵を除去するための除湿除塵フィルターに関する。
【背景技術】
【０００２】
　制御盤やモーター等は、外気を取り入れて制御盤等の内部を冷却する構造が一般的であるが、この冷却に使用される外気には湿気や粉塵が含まれている。従って、外気をそのまま取り入れた場合には、機械内部に粉塵が堆積すると共に、堆積した粉塵が湿気を帯びることとなる。つまり、機械の故障防止のためには、定期的な機械内部の除塵作業が必要不可欠であるが、非常に手間の掛かる作業であった。
【０００３】
　そこで、除湿及び除塵用のフィルターとして、図５及び図６に示す吸引冷却機用除湿除塵装置（以下、「除湿除塵装置」という）５０が開示されている（例えば、特許文献１参照。）。この除湿除塵装置５０は、基材部５２が冷却風取入口５４に着脱可能に設置され、基材部５２の両端縁部には、第一回転軸５６及び第二回転軸５８を備えている。また、第一回転軸５６と第二回転軸５８の間の基材部５２には孔部６０が形成され、第一回転軸５６に巻き取られたろ過除湿シート６２が孔部６０を覆うように延ばされ、ろ過除湿シート６２の先端部が第二回転軸５８に固定されている。更に、ろ過除湿シート６２は、補助ローラ６４によって巻き取りを滑らかにすると共に、孔部６０に密着するように押さえられている。
【０００４】
　このような構成から成る除湿除塵装置５０は、第二回転軸５８を操作することによって、ろ過除湿シート６２を孔部６０に沿ってスライドさせることが出来るため、常時、効率よく、冷却風中の除湿・除塵を行うことが出来る。
【０００５】
【特許文献１】特開平０９−０１４２００号公報（第２，３頁、第１，２図）
【考案の開示】
【考案が解決しようとする課題】
【０００６】
　しかし、特許文献１に開示された除湿除塵装置５０は、構造が複雑であり、且つ構成部品も多いため、製造コストが高くなる。また、これに伴って、除湿除塵装置５０を設置する際に、使用者における設置費用の負担も大きくなるという問題がある。
【０００７】
　また、湿気及び粉塵を吸着したろ過除湿シート６２は、第二回転軸５８の操作によって第二回転軸５８に巻き取られ、これと同時に、第一回転軸５６から新たなろ過除湿シート６２が供給されることとなるが、ろ過除湿シート６２には、巻き取り中によじれが生じる恐れがあり、実際によじれが生じた場合におけるろ過除湿シート６２の修正は非常に困難となる。
【０００８】
　更に、第一回転軸５６のろ過除湿シート６２が無くなった場合には、新たなろ過除湿シート６２を第一回転軸５６にセットすると共に、ろ過除湿シート６２の先端部を補助ローラ６４と孔部６０の間を挿通させた後、第二回転軸５８に固定しなければならず、ろ過除湿シート６２の交換は非常に繁雑な作業となる。
【０００９】
　また更に、制御盤等に設けられる外気取入口は、種々の形状及び寸法を有するため、基材部を有する除湿除塵装置５０を、あらゆる形状及び寸法に対応させることは非常に困難である。
【００１０】
　そこで、本発明は、制御盤等の内部への湿気及び粉塵の進入を簡単に防止することができ、構造が単純で製造コストが安価であり、更には、外気取入口の種々の形状及び寸法に容易に対応することが可能な除湿除塵フィルターを提供することを目的とする。
【課題を解決するための手段】
【００１１】
　即ち、本発明の要旨とするところは、外気と被仕切り物とを仕切る仕切り部材に設けられた外気取入口に設置されるフィルターであって、
長尺のフィルター用紙と、
該フィルター用紙が収納され、且つ該フィルター用紙を引き出すための細長開口を有する引出口を備え、該外気取入口の縁部に着脱自在に取り付け可能とされたケーシングと、
該フィルター用紙の固定手段とを備え、
該フィルター用紙が該引出口から引き出され、該外気取入口の少なくとも一部を覆って該固定手段により固定される除湿除塵フィルターであることにある。
【００１２】
　また、かかる除湿除塵フィルターにおいて、前記フィルター用紙が、ロール状に巻き取られていることにある。
【００１３】
　更に、かかる除湿除塵フィルターにおいて、前記フィルター用紙は、前記フィルター用紙を幅方向に横切るミシン目を備え得る。
【００１４】
　また、かかる除湿除塵フィルターにおいて、前記ケーシングは、前記引出口の長手方向に沿った鋸状刃を備え得る。
【００１５】
　また、かかる除湿除塵フィルターにおいて、前記固定手段は、長尺磁石板であり得る。
【００１６】
　更に、かかる除湿除塵フィルターにおいて、前記長尺磁石板は、該長尺磁石板の長手方向に沿った鋸状刃を備え得る。
【考案の効果】
【００１７】
　本発明の除湿除塵フィルターは、ケーシングからフィルター用紙を引き出して制御盤等の外気取入口を覆い、固定手段によってフィルター用紙を固定することにより、制御盤等の内部への湿気及び粉塵の進入を簡単に防止することが出来る。特に、固定手段として長尺磁石板を適用した場合には、フィルター用紙の固定を容易に行うことが出来る。
【００１８】
　また、本発明の除湿除塵フィルターは、構造が単純であるため、製造コストが非常に安価であり、これに伴って、制御盤等の外気取入口への設置費用を大幅に軽減することが出来る。
【００１９】
　また、本発明の除湿除塵フィルターにおいて、ケーシング内のフィルター用紙が無くなった場合には、ケーシングに新たなフィルター用紙を装填し、引出口からフィルター用紙の先端部を引き出すのみであるため、フィルター用紙の補充を容易に行うことが出来る。更に、フィルター用紙をロール状とすることによって、引出口からの引き出しも容易となる。
【００２０】
　また、本発明に係るケーシング及びフィルター用紙の幅方向のみの変更で、外気取入口の種々の形状及び寸法に容易に対応することが可能である。
【００２１】
　更に、本発明に係るフィルター用紙に、予めフィルター用紙を幅方向に横切るミシン目を設けることによって、使用済みのフィルター用紙の切断を容易に行うことが出来る。
【００２２】
　更にまた、本発明に係る長尺磁石板又はケーシングの引出口に、それぞれの長手方向に沿って鋸状刃を設けることによって、フィルター用紙を任意の位置で切断することができるため、外気取入口の寸法に合わせてフィルター用紙の使用量を設定できると共に、使用済みのフィルター用紙の切断を容易に行うことが出来る。
【考案を実施するための最良の形態】
【００２３】
　以下、本発明の態様について図面に基づいて説明するが、本発明の態様は以下に示したものに限定されない。
【００２４】
　図１は、本発明の除湿除塵フィルターの使用状態を示す正面図であり、図２は、図１におけるＡ−Ａ’線断面図である。除湿除塵フィルター２は、図１及び図２に示すように、ロール状に巻き取られた長尺のフィルター用紙４と、フィルター用紙４が収納されるケーシング６と、長尺磁石板８ａ、８ｂ、８ｃとで構成されている。フィルター用紙４には、天然繊維及び／又は合成繊維から成る不織布が使用される。また、ケーシング６は、直方体の形状を有し、その長手方向に沿って細長開口を有する引出口１０を備えており、ケーシング６内に収納されたフィルター用紙４は、引出口１０から引き出されて使用されることとなる。なお、長尺磁石板８ａ、８ｂ、８ｃには可撓性を有するラバーマグネットが好適に使用され得る。
【００２５】
　除湿除塵フィルター２は、外気と被仕切り物とを仕切る仕切り部材に設けられた外気取入口に設置され、例えば、制御盤１２の壁面Ｗに設けられた外気取入口１４に設置される。まず、フィルター用紙４が収納されたケーシング６が、ケーシング６の裏面に貼着された長尺磁石板８ａによって、外気取入口１４の縁部（図１及び図２では、外気取入口１４の上部）に着脱自在に取り付けられる。次いで、外気取入口１４に設けられている複数の孔部１６を覆うのに必要な量のフィルター用紙４を、ケーシング６の引出口１０から引き出す。最後に、引き出されたフィルター用紙４は、引出口１０の近傍、及びフィルター用紙４の先端部において、壁面Ｗと、壁面Ｗに吸着される長尺磁石板８ｂ、８ｃとによって挟持されることとなる。
【００２６】
　ここで、制御盤１２の壁面Ｗは、通常、鉄製であるため、ケーシング６の取り付け、及びフィルター用紙４の固定は長尺磁石板８ａ、８ｂ、８ｃによって容易に行うことが出来るが、除湿除塵フィルター２の設置箇所に長尺磁石板８ａ等が適用できない場合には、長尺磁石板８ａ等が位置することとなる任意箇所に、予め長尺磁石板８ａ等を吸着可能な金属板等を貼着しておくとよい。また、ケーシング６の取り付け方法は長尺磁石板８ａによるものに限定されず、例えば、ケーシング６に予め設けたフック等により、外気取入口１４の縁部にケーシング６が掛着されてもよい。
【００２７】
　更に、フィルター用紙４の長尺磁石板８ｂ、８ｃによる固定位置は、図１に示した外気取入口１４の上方及び下方に限定されず、例えば、外気取入口１４の側方においてフィルター用紙４の幅方向の両端部が固定されてもよい。また、長尺磁石板８ｂ、８ｃの形状も図示した長方形に限定されず、外気取入口１４の外形に合わせて任意の形状に設定することが出来る。例えば、外気取入口１４の形状が円形や楕円形等、曲部を有する場合には、外気取入口１４の外形に沿うような曲部を備える磁石板とすることによって、外気取入口１４の縁部とフィルター用紙４との隙間を少なくすることが可能となる。
【００２８】
　このように、除湿除塵フィルター２の外気取入口１４への設置は非常に容易であると共に、外気中に含まれる湿気や粉塵の制御盤１２への進入、及び外気取入口１４の孔部１６の目詰まりを、フィルター用紙４によって簡単に防止することが出来る。従って、制御盤１２の維持管理、及び孔部１６の清掃作業等の労力を軽減することが出来る。
【００２９】
　また、除湿除塵フィルター２は、構造が非常に単純であり、モーター等の動力も一切必要としないため、除湿除塵フィルター２自体の維持管理が不要である。更に、製造コストも安価であるため、除湿除塵フィルター２の使用者における設備投資の負担軽減を図ることが出来る。
【００３０】
　また、フィルター用紙４、及びケーシング６の長手方向の寸法を変更することによって、外気取入口１４の種々の形状及び寸法に容易に対応することが出来る。
【００３１】
　更にまた、湿気及び粉塵を吸着して汚れたフィルター用紙４は、外気取入口１４の孔部１６を覆っていた部分を切り離し、ケーシング６から新たなフィルター用紙４を引き出すことによって、フィルター用紙４の交換を容易に行うことが出来る。また、フィルター用紙４をロール状とすることによって、引出口１０からの引き出しがスムーズとなる。更に、ケーシング６内のフィルター用紙４が無くなった場合には、ケーシング６にフィルター用紙４の新たなロールを収納することによって、フィルター用紙４の補充も容易に行うことが出来る。
【００３２】
　ここで、フィルター用紙４には、予めフィルター用紙４を幅方向に横切る複数のミシン目（不図示）を設けておくことが好ましい。ミシン目同士の間隔は、除湿除塵フィルター２が設置される外気取入口１４の寸法に応じて任意に設定される。フィルター用紙４に予めミシン目を設けておくことによって、汚れたフィルター用紙４の切り離しを、更に容易に行うことが出来る。
【００３３】
　また、本発明に係る長尺磁石板は、図３に示すように、長尺磁石板の長手方向に沿った鋸状刃１８ａを備える長尺磁石板８ｄであってもよい。長尺磁石板８ｄは、例えば、図１及び図２に示す長尺磁石板８ｂの代わりに使用される。つまり、上記のミシン目を備えるフィルター用紙４は、使用済みのフィルター用紙４を容易に切り離すことが出来る点で好適に使用され得る。しかし、ミシン目同士の間隔が予め任意の寸法に設定されているため、例えば、除湿除塵フィルター２の設置箇所の変更により、ミシン目同士の間隔より広い寸法を有する外気取入口に、予めミシン目を有するフィルター用紙４を適用する場合には、フィルター用紙４に無駄が生じることとなる。
【００３４】
　そこで、鋸状刃１８を備える長尺磁石板８ｄを使用することによって、フィルター用紙４に予めミシン目を設ける必要が無く、鋸状刃１８によって任意の箇所でフィルター用紙４を切断することが出来る。つまり、外気取入口１４の寸法に応じてフィルター用紙４の使用量が調節可能となり、汚れたフィルター用紙４は鋸状刃１８ａで切り離すことによって、フィルター用紙４に無駄が生じることも無い。
【００３５】
　更に、鋸状刃はケーシング６に備えられてもよい。図４に示すように、ケーシング６の引出口１０の長手方向に沿って鋸状刃１８ｂを設けることによって、長尺磁石板１８ｄに鋸状刃１８ａを設けた場合と同様、フィルター用紙４を任意の箇所で切断することが可能となる。
【００３６】
　以上、本発明の除湿除塵フィルターの態様について説明したが、本発明を構成するフィルター用紙４、ケーシング６等は、上記のものに限定されるものではない。
【００３７】
　例えば、上記の態様において、フィルター用紙４は予めロール状に巻き取られているが、本発明に適用されるフィルター用紙はロール状に限定されず、長尺のフィルター用紙がつづら折り、或いは重畳された状態でケーシング６内に収納されてもよい。
【００３８】
　また、ケーシング６の形状も、図示した直方体に限定されず、例えば、立方体、円柱状等、フィルター用紙４が収納可能であればよい。
【００３９】
　更に、フィルター用紙４の固定手段も、長尺磁石板８ｂ、８ｃ、８ｄに限定されず、クリップ、粘着テープ等であってもよい。例えば、外気取入口１４の縁部に取り付けたケーシング６からフィルター用紙４を引き出し、外気取入口１４の孔部１６を覆って、フィルター用紙４の先端部が位置することとなる箇所に、予めクリップ等の挟持部材を設けておくことによって、フィルター用紙４の先端部を挟持部材で挟持するのみで、容易にフィルター用紙４の固定を行うことが出来る。なお、クリップ等の挟持部材が磁石を備える態様であれば、鉄等の金属製の壁面Ｗへの着脱が容易となる点で好ましい。
【００４０】
　また、フィルター用紙４の切断方法も、ミシン目による切断、長尺磁石板８ｄの鋸状刃１８ａ、ケーシング６の鋸状刃１８ｂによる切断に限定されない。例えば、ケーシング６に、引出口１０の長手方向に沿って移動可能とした切断刃を設け、引出口１０から引き出されたフィルター用紙４の幅方向に該切断刃を移動させることによって、フィルター用紙４が切断されてもよい。
【００４１】
　更にまた、除湿除塵フィルターが設置される場所は、制御盤やモーター等の外気取入口に限定されるものではなく、空調機、空気清浄機等の外気取入口や、調理場のレンジフード等に設置することも可能である。
【００４２】
　なお、本明細書において、各図にわたって記される同じ符号は、同一又は同様の部材やものを示す。
【００４３】
　以上、本発明の態様について説明したが、本発明はその趣旨を逸脱しない範囲で、当業者の知識に基づき種々の改良、修正、変形を加えた態様で実施し得るものであり、これらの態様はいずれも本発明の範囲に属するものである。
【図面の簡単な説明】
【００４４】
【図１】本発明の除湿除塵フィルターの使用状態を示す正面図である。
【図２】図１におけるＡ−Ａ’線断面図である。
【図３】本発明に係る長尺磁石板の他の態様を示した平面図である。
【図４】本発明に係るケーシングの他の態様を示した正面図である。
【図５】従来の吸引冷却機用除湿除塵装置の断面図である。
【図６】図５におけるＢ方向から見た矢視図である。
【符号の説明】
【００４５】
　２：除湿除塵フィルター
　４：フィルター用紙
　６：ケーシング
　８ａ、８ｂ、８ｃ：長尺磁石板
　１０：引出口
　１２：制御盤
　１４：外気取入口
　１６：孔部
　１８ａ、１８ｂ：鋸状刃
　Ｗ：壁面
【図１】
0003099636.tif 000003
【図２】
0003099636.tif 000004
【図３】
0003099636.tif 000005
【図４】
0003099636.tif 000006
【図５】
0003099636.tif 000007
【図６】
0003099636.tif 000008